(57)【要約】    【課題】使い勝手の向上した携帯型電気掃除機を提供すること。    【解決手段】、前本体２３の前下端部には、前方に突出する所定長さの吸込ノズル２７が前本体２３と一体的に備えられている。吸込ノズル２７は、たとえば、樹脂などで形成される固定形状の筒状の部材であって、先細る形状とされており、先端にノズル吸込口２７１が形成され、後端にノズル排出口２７２が形成されている。そして、ノズル排出口２７２が集塵室２６に臨んでいる。これにより、吸込ノズル２７を紛失することがない。また、吸込ノズル２７を使用する場合には、床用ブラシ３を本体２から外せばよいため、使い勝手がよい。また、本体２に床用ブラシ３を装着した状態では、吸込ノズル２７は外観には現れず、本体２から床用ブラシ３を外すと吸込ノズル２７が現れるので、外観を美しく保つことができる。【選択図】            図４
2006034720.tif 000002
【特許請求の範囲】
【請求項１】
掃除機本体と、
上記本体と一体的に設けられ、上記本体から前方へ所定長さ突出しており、その先端から塵挨を吸い込むことのできる固定形状の吸込ノズルと、
上記吸込ノズルに着脱可能に外嵌される接続用ベントを有する床用ブラシと、を含むことを特徴とする携帯型電気掃除機。
【請求項２】
上記吸込ノズルは、床の隅などを清掃する際、上記本体が壁などと干渉して床の隅に当接できなくても、その先端が床の隅まで届き得る長さにされていることを特徴とする請求項１に記載の携帯型電気掃除機。
【請求項３】
上記吸込ノズルと上記接続用ベントとは略同一長さであり、
上記吸込ノズルに上記接続用ベントを外嵌することで、上記本体に対して上記床用ブラシが装着され、接続部は上記吸込ノズルと上記接続用ベントとの二重構造になることを特徴とする請求項１または２に記載の携帯型電気掃除機。
【請求項４】
上記床用ブラシは、
吸引口を有するケーシングと、
上記吸引口に備えられたロータリブラシと、
上記ロータリブラシを回転させるためのモータと、を含み、
上記接続用ベントは、上記ケーシングに対して揺動自在に連結されて、上記ケーシングから延び出ており、
上記接続用ベントの突出端側には、上記モータと電気的につながれている受電側接続端子が配置されており、
上記吸込ノズルの根元部には、上記接続用ベントが外嵌されたときに、上記受電側接続端子と電気的に接続する給電側接続端子が配置されていることを特徴とする請求項１〜３のいずれかに記載の携帯型電気掃除機。
【請求項５】
上記床用ブラシは、吸引口を有するケーシングを含み、
上記接続用ベントは、上記ケーシングに対し上下方向に揺動可能に連結されて上記ケーシングから延び出ており、
上記接続用ベントを上記吸込ノズルに外嵌して上記本体に上記床用ブラシを装着し、上記ケーシングに対し上記接続用ベントを最上方まで揺動させた状態とすることで、上記ケーシングを着床させて本体が自立し得ることを特徴とする請求項１または４に記載の携帯型電気掃除機。
【請求項６】
上記ケーシングに対する上記接続用ベントの揺動状態に応じて、上記受電側接続端子を通じて上記モータに与えられる電力を入／切するためのスイッチング手段を含むことを特徴とする請求項４に記載の携帯型電気掃除機。
【請求項７】
上記接続用ベントは、上記ケーシングに対し上下方向に揺動可能であり、最上方まで揺動させた状態において、上記スイッチング手段は電力を遮断する状態となることを特徴とする請求項６に記載の携帯型電気掃除機。
【請求項８】
上記本体の転倒姿勢に対して上記ケーシングの上記吸込口が床面に沿うことがないように、上記接続用ベントの揺動位置を所定位置で止めるための揺動位置規制手段が設けられていることを特徴とする請求項４に記載の携帯型電気掃除機。
【請求項９】
集塵室および当該集塵室へ塵挨を吸引するための電動送風手段が内蔵された本体と、上記電動送風手段の駆動・停止用の電源スイッチとを含む携帯型電気掃除機において、
上記電源スイッチは、上記本体の転倒時に床面に接触しない位置に設けられていることを特徴とする携帯型電気掃除機。
【請求項１０】
上記本体には、上記本体の後方に一体に形成され、上記本体の外形よりも膨らんだハンドルが設けられ、
上記本体先端とハンドルの膨出頂部とを結ぶ直線内から突出しないように、上記電源スイッチが設けられていることを特徴とする請求項９に記載の携帯型電気掃除機。
【請求項１１】
掃除機本体と、
上記本体と一体的に設けられ、上記本体から前方へ所定長さ突出しており、その先端から塵挨を吸い込むことのできる固定形状の吸込ノズルと、
上記吸込ノズルに着脱可能に外嵌される接続用ベントを有する床用ブラシと、
上記本体と一体的に、かつ、区別可能に設けられ、本体から後方へ突出するハンドルと、を含み、
上記ハンドル内には当該電気掃除機を駆動するための駆動用電源が内蔵されていることを特徴とする携帯型電気掃除機。
【請求項１２】
上記床用ブラシは、
吸引口を有するケーシングと、
上記吸引口に備えられたロータリブラシと、
上記ロータリブラシを回転させるためのモータと、
上記ケーシングに対して揺動自在に連結されて、上記ケーシングから延び出た上記接続用ベントと、を含み、
上記ケーシング、接続用ベント、本体およびハンドルが相互に所定の角度に曲がりながら連なった状態とすることにより、上記ケーシングを床面に配置した状態で上記本体が自立し得ることを特徴とする請求項１１に記載の携帯型電気掃除機。
【発明の詳細な説明】
【技術分野】
【０００１】
この発明は、携帯型電気掃除機に関する。
【背景技術】
【０００２】
従来から、電気掃除機として携帯型の電気掃除機が利用されている。携帯型電気掃除機は、掃除機本体を持ち上げて、本体自体を人手により移動させることにより清掃を行うものであり、いわゆるハンディクリーナーと称せられるものである。これにより、ユーザは、携帯型掃除機を使用することで、たとえば、机上、棚上または車内など、普通の掃除機では清掃することが困難な箇所を、容易に清掃することができる。このような携帯型電気掃除機が特許文献１〜３に記載されている。
【特許文献１】特開平１１−３４６９７２号公報
【特許文献２】特公平７−５７２１４号公報
【特許文献３】特開平１０−２７６９４２号公報
【発明の開示】
【発明が解決しようとする課題】
【０００３】
上記特許文献１に記載の携帯型電気掃除機は、掃除機本体に対して、床用ブラシとしての吸込口体と、吸込ノズルとしての隙間ノズルとのうちいずれか一方を本体に装着することができる構成となっており、床と隙間の双方を清掃できるようにされている。
しかしながら、上記の携帯型電気掃除機では、吸込口体と隙間ノズルとを選択的に本体に装着するため、特に、吸込口体を本体に装着している間に、隙間ノズルを紛失するおそれがある。
【０００４】
上記特許文献２に記載の携帯型電気掃除機は、掃除機本体に接続される集塵ケースの前端部分に、塵埃を吸引するための吸込口が設けられており、この吸引口から塵埃が吸引される。
しかしながら、上記の携帯型電気掃除機では、集塵ケースの前端部分に吸込口が設けられているので、吸引口から塵埃を吸込むために、集塵ケースの前端部分を前端に向かって細くなるように構成せねばならず、携帯型電気掃除機を構成する上での制限がある。
【０００５】
上記特許文献３に記載の携帯型電気掃除は、掃除機本体の後端に設けられた脚部およびハンドルを床面に当接させることで、携帯型電気掃除機を自立させることができる構成とされており、省スペースを実現できる。
しかしながら、上記の携帯型電気掃除機では、ハンドルを床面に当接させて自立させているため、清掃を行うためには、自立状態の携帯型電気掃除機を、一旦ハンドルをつかんで持ち上げて反転させねばならず、その動作は煩雑である。
【０００６】
この発明は、かかる背景のもとになされたもので、使い勝手の向上した携帯型電気掃除機を提供することを目的とする。
【課題を解決するための手段】
【０００７】
上記目的を達成するための請求項１に記載の発明は、掃除機本体（２）と、上記本体と一体的に設けられ、上記本体から前方へ所定長さ突出しており、その先端から塵挨を吸い込むことのできる固定形状の吸込ノズル（２７）と、上記吸込ノズルに着脱可能に外嵌される接続用ベント（３２）を有する床用ブラシ（３）と、を含むことを特徴とする携帯型電気掃除機（１）である。
【０００８】
なお、括弧内の英数字は、後述の実施形態における対応構成要素などを表す。以下、この項において同じ。
この構成によれば、吸込ノズルが本体と一体的に設けられているため、吸込ノズルを紛失することがない。また、吸込ノズルを使用する場合には、床用ブラシを本体から外せばよいため、使い勝手がよい。また、本体に床用ブラシを装着した状態では、吸込ノズルは外観には現れず、本体から床用ブラシを外すと吸込ノズルが現れるので、外観を美しく保つことができる。
【０００９】
また、請求項２に記載の発明のように、上記吸込ノズル（２７）は、床の隅などを清掃する際、上記本体が壁などと干渉して床の隅に当接できなくても、その先端が床の隅まで届き得る長さにされていることを特徴とする請求項１に記載の携帯型電気掃除機（１）であれば、細部の清掃を良好に行える。
請求項３に記載の発明は、上記吸込ノズル（２７）と上記接続用ベント（３２）とは略同一長さであり、上記吸込ノズルに上記接続用ベントを外嵌することで、上記本体（２）に対して上記床用ブラシ（３）が装着され、接続部は上記吸込ノズルと上記接続用ベントとの二重構造になることを特徴とする請求項１または２に記載の携帯型電気掃除機（１）である。
【００１０】
この構成によれば、吸込ノズルと接続用ベントとが略同一長さであり、その接続部が二重構造となるため、接続部の強度を高めることができる。
請求項４に記載の発明は、上記床用ブラシ（３）は、吸引口（３１１）を有するケーシング（３１）と、上記吸引口に備えられたロータリブラシ（３１２）と、上記ロータリブラシを回転させるためのモータ（３１３）と、を含み、上記接続用ベント（３２）は、上記ケーシングに対して揺動自在に連結されて、上記ケーシングから延び出ており、上記接続用ベントの突出端側には、上記モータと電気的につながれている受電側接続端子（３２１）が配置されており、上記吸込ノズルの根元部には、上記接続用ベントが外嵌されたときに、上記受電側接続端子と電気的に接続する給電側接続端子（２８）が配置されていることを特徴とする請求項１〜３のいずれかに記載の携帯型電気掃除機（１）である。
【００１１】
この構成によれば、床面から端子接続部分までの距離が十分に確保されるので、床用ブラシを本体に装着して床面を清掃することにより、床面の塵埃が舞い上がっても、その塵埃が端子接続部分に付着しにくい。また、床用ブラシを本体から外して吸込ノズルにより清掃を行う場合でも、給電側接続端子が吸込ノズルの根元部に配置されているので、清掃により塵埃が舞い上がっても、当該端子に塵埃が付着しにくい。よって、受電側接続端子と給電側接続端子との接続を良好に保つことができる。
【００１２】
請求項５に記載の発明は、上記床用ブラシ（３）は、吸引口（３１１）を有するケーシング（３１）を含み、上記接続用ベント（３２）は、上記ケーシングに対し上下方向に揺動可能に連結されて上記ケーシングから延び出ており、上記接続用ベントを上記吸込ノズル（２７）に外嵌して上記本体（２）に上記床用ブラシを装着し、上記ケーシングに対し上記接続用ベントを最上方まで揺動させた状態とすることで、上記ケーシングを着床させて本体が自立し得ることを特徴とする請求項１または４に記載の携帯型電気掃除機（１）である。
【００１３】
この構成によれば、床用ブラシのケーシングを着床させて自立させることができるので、携帯型電気掃除機を使用しない場合に、自立状態とさせておけば、携帯型電気掃除機に占有されるスペースを小さくすることができる。また、自立状態においてケーシングが着床しており、自立状態および清掃状態で、携帯型電気掃除機の態様が大きく変わることがないので、容易に清掃動作に移行できる。
【００１４】
請求項６に記載の発明は、上記ケーシング（３１）に対する上記接続用ベント（３２）の揺動状態に応じて、上記受電側接続端子（３２１）を通じて上記モータ（３１３）に与えられる電力を入／切するためのスイッチング手段（３１５）を含むことを特徴とする請求項４に記載の携帯型電気掃除機（１）である。
この構成によれば、接続用ベントの揺動状態に応じてモータへの電力を入／切することで、接続用ベントの揺動状態に応じてロータリブラシを駆動または停止することができる。
【００１５】
そして、請求項７に記載の発明のように、上記接続用ベント（３２）は、上記ケーシング（３１）に対し上下方向に揺動可能であり、最上方まで揺動させた状態において、上記スイッチング手段（３１５）は電力を遮断する状態となることを特徴とする請求項６に記載の携帯型電気掃除機（１）とすれば、たとえば、携帯型電気掃除機を自立させた場合などでは接続用ベントが最上方まで揺動するので、自立状態においてロータリブラシが回転するのを防ぐことができ、安全性を向上できる。
【００１６】
請求項８に記載の発明は、上記本体（２）の転倒姿勢に対して上記ケーシング（３１）の上記吸込口（３１１）が床面に沿うことがないように、上記接続用ベント（３２）の揺動位置を所定位置で止めるための揺動位置規制手段（３１４）が設けられていることを特徴とする請求項４に記載の携帯型電気掃除機（１）である。
この構成によれば、本体の転倒姿勢において、ケーシングの吸引口に備えられたロータリブラシが床面に接しない。たとえば、ロータリブラシを回転させて清掃を行っている場合に本体を転倒させたとしても、ロータリブラシが床面に接しない。よって、本体の転倒時に、回転しているロータリブラシが接することにより床面が傷むのを防ぐことができる。
【００１７】
請求項９に記載の発明は、集塵室（２６）および当該集塵室へ塵挨を吸引するための電動送風手段（２９，３０）が内蔵された本体（２）と、上記電動送風手段の駆動・停止用の電源スイッチ（４３）とを含む携帯型電気掃除機（１）において、上記電源スイッチは、上記本体の転倒時に床面に接触しない位置に設けられていることを特徴とする携帯型電気掃除機である。
【００１８】
この構成によれば、本体転倒時に電源スイッチは床面に接触しないので、仮に本体が転倒したとしても、そのことにより電源スイッチが入／切されることがない。また、本体転倒時の電源スイッチの入／切を防ぐための部材を別個に必要とすることがないので、外観を美しく保つことができる。
たとえば、請求項１０に記載の発明のように、上記本体（２）には、上記本体の後方に一体に形成され、上記本体の外形よりも膨らんだハンドル（４）が設けられ、上記本体先端とハンドルの膨出頂部とを結ぶ直線内から突出しないように、上記電源スイッチ（４３）が設けられていることを特徴とする請求項９に記載の携帯型電気掃除機（１）であってもよい。
【００１９】
請求項１１に記載の発明は、掃除機本体（２）と、上記本体と一体的に設けられ、上記本体から前方へ所定長さ突出しており、その先端から塵挨を吸い込むことのできる固定形状の吸込ノズル（２７）と、上記吸込ノズルに着脱可能に外嵌される接続用ベント（３２）を有する床用ブラシ（３）と、上記本体と一体的に、かつ、区別可能に設けられ、本体から後方へ突出するハンドル（４）と、を含み、上記ハンドル内には当該電気掃除機（１）を駆動するための駆動用電源（４４）が内蔵されていることを特徴とする携帯型電気掃除機である。
【００２０】
この構成によれば、ハンドルに駆動用電源が内蔵されているため、携帯型電気掃除機を使用しているときの重量バランスがよい。すなわち、駆動用電源は、たとえば、充電式電池であり、他の部材に比べて重量が大きい。そして、その重量が大きい駆動用電源を、ユーザが掴む部分であるハンドルに内蔵させているため、ユーザが携帯型電気掃除機を使用している際の（持ち上げている際の）バランスがよい。
【００２１】
また、請求項１２に記載の発明のように、上記床用ブラシ（３）は、吸引口（３１１）を有するケーシング（３１）と、上記吸引口に備えられたロータリブラシ（３１２）と、上記ロータリブラシを回転させるためのモータ（３１３）と、上記ケーシングに対して揺動自在に連結されて、上記ケーシングから延び出た上記接続用ベント（３２）と、を含み、上記ケーシング、接続用ベント、本体およびハンドルが相互に所定の角度に曲がりながら連なった状態とすることにより、上記ケーシングを床面に配置した状態で上記本体が自立し得ることを特徴とする請求項１１に記載の携帯型電気掃除機（１）であれば、携帯型電気掃除機を使用しない場合は、自立状態としておくことで、携帯型電気掃除機に占有されるスペースを小さくすることができる。また、自立状態においてケーシングが床面に配置されており、自立状態および清掃状態で、携帯型電気掃除機の態様が大きく変わることがないので、容易に清掃動作に移行できる。
【発明を実施するための最良の形態】
【００２２】
以下では、この発明の実施の形態を、添付図面を参照して詳細に説明する。
図１は、この発明の一実施形態にかかる携帯型電気掃除機１の外観構成を示す斜視図であり、図２は、図１の矢印Ａ方向にみた平面図であり、図３は、図１の矢印Ｂ方向にみた側面図である。以下の説明中における方向は、図１の矢印で示す「前方」を基準としている。
【００２３】
携帯型電気掃除機１は、掃除機本体を持ち上げて、掃除機本体自体を人手により移動させることにより清掃を行うものであり、前後方向に延びる略箱型の本体２と、本体２の前端に着脱可能に取付けられた床用ブラシ３と、本体２の後端に一体的に形成され、本体２と区別可能なハンドル４とを備えている。
本体２は、その内部において吸引した塵埃を捕獲することができ、その上面中央に、本体内に貯められた塵埃を回収する際に押される開閉ボタン２１が備えられ、その側面に、吸引した空気を排出するための複数の排出孔２２が形成されている。
【００２４】
床用ブラシ３は、平面視略Ｔ字状の部材であって、左右方向に延びるケーシング３１と、ケーシング３１の中央後端から後方に延びる中空形状の接続用ベント３２とを備えている。
ハンドル４は、略円盤状の部材であって、その円盤の内部が、円盤外周面の径よりも小さな径の半円によって切欠かれた形状とされており、これにより、外周面４１および内周面４２が形成されている。そして、ハンドル４は、側面視が円形となるようにして（ハンドル４が立った状態で）、外周面４１の前端部分は本体２とつながるように一体的に形成されている。
【００２５】
ハンドル４の外周面４１には、携帯型電気掃除機１を動作させるための電源スイッチ４３が備えられている。電源スイッチ４３は、本体２の先端とハンドル４の膨出張部を結ぶ直線内から突出しないようにハンドル４の外周面４１に設けられている（図３参照）。
これにより、ユーザは、ハンドル４の外周面４および内周面４２を掴むようにして携帯型電気掃除機１を持ち上げ、さらに、電源スイッチ４３のスイッチを入れることで携帯型電気掃除機１を移動させながら、床用ブラシ３から塵埃を吸引して清掃を行うができる。
【００２６】
図４は、本体２から床用ブラシ３を外した状態の携帯型電気掃除機１を前後方向に延びる鉛直面で切断して右方からみた断面図である。以下、携帯型電話機１の内部構成を詳しく説明する。
本体２には、前本体２３および後本体２４が含まれる。前本体２３は、前面、右側面、左側面、上面および下面が閉塞された中空形状とされており、その後面が取り外し可能なフィルタ２５により覆われることで、その内部に集塵室２６が形成されている。また、前本体２３の前下端部には、前方に突出する所定長さの吸込ノズル２７が前本体２３と一体的に備えられており、吸込ノズル２７の根元部分には、給電側接続端子２８が備えられている。
【００２７】
吸込ノズル２７は、たとえば、樹脂などで形成される固定形状の筒状の部材であって、先細る形状とされており、先端にノズル吸込口２７１が形成され、後端にノズル排出口２７２が形成されている。そして、ノズル排出口２７２が集塵室２６に臨んでいる。これにより、ノズル吸引口２７１、吸引ノズル２７の内部空間およびノズル排出口２７２を介して、外部空間から集塵室２６に向かう１つの空気通路が形成されている。
【００２８】
吸引ノズル２７は、主として、狭い空間の先にある床面などを清掃する場合に用いられる。たとえば、図６に示すように、床の隅などを清掃する際に、本体２（前本体２）が壁などと干渉して床の隅に当接できなくても、ノズル吸込口２７１が床の隅まで届き得る長さにされている。また、給電側接続端子２８は、電気接続用の端子であって、たとえば、雌型の部材である。
【００２９】
後本体２４は、後面、右側面、左側面、上面および下面が閉塞された中空形状とされており、空気を吸引するためのファン２９と、ファン２９に駆動力を伝達するためのモータ３０とを内蔵している。また、後本体２４の両側面には、ファン２９によって吸引した空気を外部に排出するための複数の排出孔２２が形成されており、上面の前端には、開閉ボタン２１が備えられている。開閉ボタン２１は、電源スイッチ４３と同様、本体２の先端とハンドル４の膨出頂部とを結ぶ直線内から突出しない位置に設けられている。
【００３０】
開閉ボタン２１は、前後方向に弾性変形可能な構成とされており、前本体２３と後本体２４とが密着した状態で、前本体２３の上面後端に係合する爪２１１が含まれる。開閉ボタン２１は前方に向かって付勢されており、開閉ボタン２１を後方に押して弾性変形させることで、前本体２３と後本体２４との係合を解除させて、前本体２３と後本体２４とを分離することができる。
【００３１】
床用ブラシ３は、紙面と垂直方向（左右方向）に延びるケーシング３１と、ケーシング３１の後端に連結された接続用ベント３２とを備えている。
ケーシング３１は、中空形状の部材とされており、その下面に紙面と垂直方向に延びる吸引口３１１が形成されている。また、吸引口３１１の内方には、紙面と垂直方向に延びる回動可能なロータリブラシ３１２が備えられている。ロータリブラシ３１２は、その周面に複数の羽３１２ａが備えられており、周面の一部（羽３１２ａの一部）は、吸引口３１１から突出していて、ロータリブラシ３１２の回転時に、ケーシング３１が押しつけられた床面に接して塵埃をかき上げる。ロータリブラシ３１２は、ケーシング３１に内蔵されたブラシ用モータ３１３に接続されていて、その駆動力が伝達されることで回動する。
【００３２】
接続用ベント３２は、筒状の長手の部材であって、その長さが本体２の吸込ノズル２７と略同一とされており、その前端がケーシング３１に回動可能に連結されることで、前端を中心として上下方向に揺動する。これにより、本体２に対して、ケーシング３１は、上下方向に角度位置が変化する。よって、本体２の位置が上下しても吸引口３１１（ロータリブラシ３１２）は、床面から離れないようにすることができる。また、吸引口３１１、ケーシング３１の内部空間および接続用ベント３２の内部空間を介する１つの空気通路が形成されている。
【００３３】
ケーシング３１における接続用ベント３２との接続部分には、突起３１４が形成されており、接続用ベント３２が下方向に回転すると、接続用ベント３２の前端が突起３１４に引っ掛かり、その状態（図４に示す状態）からは下方向に回転しないように規制される。
また、接続用ベント３２の後端（突出端）の上面には、受電側接続端子３２１が備えられている。受電側接続端子３２１は、たとえば、雄型の電気接続用の部材であり、ブラシ用モータ３１３と図示しない電気回路によって電気的に接続されている。
【００３４】
ハンドル４は、駆動用電源としての充電式の電池４４を内蔵しており、電池４４と本体２のモータ３０とが図示しない電気回路により、電源スイッチ４３を介して電気的に接続し得るようにされている。
そして、図４に示す状態から、床用ブラシ３（接続用ベント３２）を後上方に移動させて、接続用ベント３２を吸引ノズル２７に外嵌させることで（吸引ノズル２７を接続用ベント３２の円筒部分に挿入させることで）、図５に示すように、本体２に床用ブラシ３が装着される。よって、本体２と床用ブラシ３との接続部分は、吸込ノズル２７と接続用ベント３２との二重構造とされる。また、この状態で、受電側接続端子３２１と給電側接続端子２８とが接続されている。
【００３５】
給電側接続端子２８は、図示しない電気回路により、電源スイッチ４３を介して電池４４と電気的に接続し得るようにされている。たとえば、電源スイッチ４３は２段階にスイッチを入れることができるようにされており、１段階スイッチを入れると電池４４とモータ３０とが電気的に接続され、さらにもう１段階スイッチを入れると電池４４と給電側接続端子２８とが電気的に接続される。
【００３６】
すなわち、本体２に床用ブラシ３が装着された状態で、電源スイッチ４３が１段階入れられると、モータ３０が駆動され、ファン２９が回転されて、ファン２９の前方から後方へ向かう空気の流れが生じる。これにより、床用ブラシ３の吸引口３１１から集塵室２６内に向かう空気の流れ（吸引力）が生じ、床用ブラシ３を着床させることで、床面上の塵埃が吸引口３１１から吸い込まれ、ケーシング３１内および接続用ベント３２内（吸込ノズル２７内）を通過して、本体２内（前本体２３内）のフィルタ２５により捕獲され、集塵室２６内に貯められる。そして、塵埃が捕獲された後の空気は、後本体２４の排出孔２２から機外に排出される。また、貯められた塵埃は、開閉ボタン２１を操作して前本体２３と後本体２４とを分離することで回収することができる。
【００３７】
また、このとき電源スイッチ４３がもう１段階入れられると、電池４４とブラシ用モータ３１３とが、給電側接続端子２８および受電側接続端子３２１を介して電気的に接続されて、ブラシ用モータ３１３が駆動される。そして、ロータリブラシ３１２が矢印Ｃの方向に所定速度で回転される。この状態で、床用ブラシ３を着床させると、ロータリブラシ３１２の羽３１２ａが床面上の塵埃をかき上げ、より良好に塵埃が吸引される。
【００３８】
一方、床用ブラシ３を本体２（前本体２３）から外すと、吸引ノズル２７が現れる。そして、この状態で、電源スイッチ４３を入れることで、吸引ノズル２７のノズル吸引口２７１から塵埃を吸引することができる。これにより、図６に示すように、床の隅に吸引ノズル１２(ノズル吸引口２７１)を沿わせることで、床の隅に存在する塵埃を良好に吸引することもできる。
【００３９】
このように、吸込ノズル２７が本体２と一体的に設けられているため、吸込ノズル２７を紛失することがない。また、吸込ノズル２７を使用する場合には、床用ブラシ３を本体２から外せばよいため、使い勝手がよい。また、本体２に床用ブラシ３を装着した状態では、吸込ノズル２７は外観には現れず、本体２から床用ブラシ３を外すと吸込ノズル２７が現れるので、外観を美しく保つことができる。
【００４０】
また、吸込ノズル２７は、床の隅などを清掃する際、その先端が床の隅まで届き得る長さにされているので、細部の清掃を良好に行える。
また、吸込ノズル２７と接続用ベント３２とが略同一長さであり、その接続部分が二重構造となるため、接続部分の強度を高めることができる。
また、床用ブラシ３を本体２に装着した状態において、床面から受電側接続端子３２１および給電側接続端子２８の接続部分までの距離が十分に確保されるので、床用ブラシ３を本体２に装着して床面を清掃することにより、床面の塵埃が舞い上がっても、その塵埃が端子の接続部分に付着しにくい。また、床用ブラシ３を本体２から外して吸込ノズル２７により清掃を行う場合でも、給電側接続端子２８が吸込ノズル２７の根元部分に配置されているので、清掃により塵埃が舞い上がっても、給電側接続端子２８に塵埃が付着しにくい。よって、受電側接続端子３２１と給電側接続端子２８との接続を良好に保つことができる。
【００４１】
また、ハンドル４に電池４４が内蔵されているため、携帯型電気掃除機１を使用しているときの重量バランスがよい。すなわち、重量が大きい電池４４を、ユーザが掴む部分であるハンドル４に内蔵させているため、ユーザが携帯型電気掃除機１を使用している際の（持ち上げている際の）バランスがよい。
図７および図８は、床用ブラシ３の動作態様を説明するための図である。
【００４２】
図７では、床用ブラシ３の接続用ベント３２が下方向に最大限回転した状態（接続用ベント３２が最下方に位置している状態）を示している。（なお、図７および図８では、ケーシング３１の突起３１４は、現れていない。）
ケーシング３１は、ブラシ用モータ３１３を内蔵しており、ブラシ用モータ３１３と受電側接続端子３２１との電気接続は、詳しくは、接続スイッチ３１５を介して行われる。接続スイッチ３１５は、ブラシ用モータ３１３と受電側接続端子３２１とを電気的に接続しまたは遮断するものであり、スイッチ本体３１５ａとスイッチ本体３１５ａに取付けられたスイッチ板３１５ｂとを備えている。
【００４３】
スイッチ板３１５ｂは、その上端がスイッチ本体３１５ａに回動可能に取付けられ、上端を中心として微小角度範囲内で回動する。また、スイッチ板３１５ｂは、たとえば、ばねなどによって上方に付勢されており、通常は、図７に示すように、その下端がスイッチ本体３１５ａから離れている。この状態では、接続スイッチ３１５が入れており、ブラシ用モータ３１３と受電側接続端子３２１とは電気的に接続されている。
【００４４】
接続用ベント３２の前端には、接続スイッチ３１５側に向かって突出する当接突起３２２が備えられており、接続用ベント３２がケーシング３１の上面に接するまで上方向に（最大限に）回転すると（接続用ベント３２が最上方に位置すると）、当接突起３２２の先端が接続スイッチ３１５のスイッチ板３１５ｂに当接して押圧し、スイッチ板３１５ｂを前方に変位させる（スイッチ板３１５ａを下方向に回転させる）。この状態が、図８に示されており、接続スイッチ３１５が切られた状態であって、ブラシ用モータ３１３と受電側接続端子３２１とは電気的に遮断されている。
【００４５】
すなわち、接続用ベント３２が最上方に位置すると、接続スイッチ３１５が切られて、ブラシ用モータ３１３への電力の供給が遮断され、ブラシ用モータ３１３は駆動しない。
図９は、携帯型電気掃除機１を自立させた状態を示す図である。
携帯型電気掃除機１は、自立状態において、床用ブラシ３のケーシング３１の下面が着床しており、床用ブラシ３(ケーシング３１および接続用ベント３２)、本体２およびハンドル４が所定角度に曲がりながら鉛直方向に連なることで安定している。また、床用ブラシ３には、たとえば、電池４４と電気的に接続された充電用端子（図示せず）が備えられており、充電用端子が、外部の電源に接続された電源側端子(図示せず)と接続されることで、自立状態を保って充電することができる。
【００４６】
この状態で、床用ブラシ３は、接続用ベント３２が最上方に位置した状態とされており、図８に示す状態とされている。すなわち、接続スイッチ３１５が切られた状態とされている。よって、自立状態においては、たとえ、電源スイッチ４３が入れられたとしても、ブラシ用モータ３１３が駆動せず、ロータリブラシ３１２が回転しない。
このように、携帯型電気掃除機１は、床用ブラシ３のケーシング３１を着床させて自立させることができるので、携帯型電気掃除機１を使用しない場合に自立状態とさせておけば、携帯型電気掃除機１により占有されるスペースを小さくすることができる。また、自立状態においてケーシング３１が着床しているので、容易に清掃動作に移行できる。
【００４７】
また、携帯型電気掃除機１は、自立状態（充電状態）において、ロータリブラシ３１２が回転しないので、安全性を向上できる。
図１０は、携帯型電気掃除機１が、床用ブラシ３の吸引口３１１を床面側に向けて転倒した状態を示す図である。
この状態では、ハンドル４および床用ブラシ３が床面に当接している。このとき、床用ブラシ３は、接続用ベント３２が最下方に位置した状態とされており、図７に示す状態とされている。
【００４８】
すなわち、ハンドル４の電池４４の重量のため、接続用ベント３２が前端を中心として下方向に回転させられる。そして、接続用ベント３２の前端がケーシング３１の突起３１４に引っ掛かることで、ケーシング３１が、その後端を中心として上方向に回転させられて、先端が浮き上がる。すなわち、ロータリブラシ３１２が床面から浮き上がる。よって、たとえば、ロータリブラシ３１２を回転させて清掃を行っている場合に携帯型電気掃除機１を転倒させたとしても、ロータリブラシ３１２が床面に接しないので、回転しているロータリブラシ３１２により床面が傷むのを防ぐことができる。
【００４９】
図１１は、携帯型電気掃除機１が、床用ブラシ３の吸引口３１１を上方に向けて（電源スイッチ４３を床面側に向けて）転倒した状態を示す図である。
この状態では、電源スイッチ４３および開閉ボタン２１が床面に接しない。すなわち、上述したように、電源スイッチ４３および開閉ボタン２１は、本体２の先端とハンドル４の膨出張部とを結ぶ直線内から突出しないようにハンドル４の外周面４１および後本体２４上面の前端にそれぞれ設けられているので、携帯型電気掃除機１が転倒した状態において、電源スイッチ４３および開閉ボタン２１が床面に接することがない。
【００５０】
すなわち、携帯型電気掃除機１が転倒したとしても、そのことにより電源スイッチ４３が入／切されたり、前本体２３と後本体２４とが分離されたりすることがなく、また、それらを防ぐための部材を別個に必要とすることもないので、外観を美しく保つことができる。
この発明は、以上説明した実施形態に限定されるものではなく、請求項記載の範囲内において種々の変更が可能である。
【図面の簡単な説明】
【００５１】
【図１】この発明の一実施形態にかかる携帯型電気掃除機の外観構成を示す斜視図である。
【図２】図１の携帯型電気掃除機を矢印Ａ方向にみた平面図である。
【図３】図１の携帯型電気掃除機を矢印Ｂ方向にみた側面図である。
【図４】本体から床用ブラシを外した状態の携帯型電気掃除機を前後方向に延びる鉛直面で切断して右方からみた断面図である。
【図５】本体に床用ブラシを装着した状態の携帯型電気掃除機を前後方向に延びる鉛直面で切断して右方からみた断面図である。
【図６】吸引ノズルを用いて携帯型電気掃除機を使用している状態を示す図である。
【図７】接続用ベントが下方向に最大限回転した状態の床用ブラシを示す図である。
【図８】接続用ベントが上方向に最大限回転した状態の床用ブラシを示す図である。
【図９】携帯型電気掃除機を自立させた状態を示す図である。
【図１０】床用ブラシの吸引口を床面側に向けて転倒した状態の携帯型電気掃除機を示す図である。
【図１１】電源スイッチを床面側に向けて転倒した状態の携帯型電気掃除機を示す図である。
【符号の説明】
【００５２】
１      携帯型電気掃除機
２      本体
３      床用ブラシ
４      ハンドル
２６    集塵室
２７    吸込ノズル
２８    給電側接続端子
２９    ファン
３０    モータ
３１    ケーシング
３２    接続用ベント
４３    電源スイッチ
４４    電池
３１１  吸引口
３１２  ロータリブラシ
３１３  ブラシ用モータ
３１４  突起
３１５  接続スイッチ
３２１  受電側接続端子
【図１】
2006034720.tif 000003
【図２】
2006034720.tif 000004
【図３】
2006034720.tif 000005
【図４】
2006034720.tif 000006
【図５】
2006034720.tif 000007
【図６】
2006034720.tif 000008
【図７】
2006034720.tif 000009
【図８】
2006034720.tif 000010
【図９】
2006034720.tif 000011
【図１０】
2006034720.tif 000012
【図１１】
2006034720.tif 000013